(57)【要約】【課題】安価で耐震構造体として使用可能な木質部材等を提供する。【解決手段】長辺と短辺とからなる矩形状の断面を有する複数の第１木質板材が、短辺に沿う短辺方向にて互いに対向した状態で重なるとともに、長辺に沿う長辺方向に隣り合わせて配置され、複数の第１木質板材間に設けられた空隙内に配置されるとともに、長辺方向に並ぶ第１木質板材間に渡って設けられている金属部材と、金属部材を貫通し、短辺方向に重なる第１木質板材間に渡り、第１木質板材と金属部材とを接合する第１接合部材を有し、空隙は、長辺方向に隣り合わせて配置される第１木質板材の互いに隣り合う側に偏らせて各々設けられており、短辺方向に重なる木質板材同士は、長辺方向において空隙と隣接する木質の空隙隣接木部を各々有し、空隙隣接木部が第２接合部材により接合されている。【選択図】図１
2018108704.tif 000002
【特許請求の範囲】
【請求項１】
長辺と短辺とからなる矩形状の断面を有する複数の第１木質板材が、前記短辺に沿う短辺方向にて互いに対向した状態で重なるとともに、前記長辺に沿う長辺方向に隣り合わせて配置され、
前記複数の第１木質板材間に設けられた空隙内に配置されるとともに、前記長辺方向に並ぶ前記第１木質板材間に渡って設けられている金属部材と、
前記金属部材を貫通し、前記短辺方向に重なる前記第１木質板材間に渡り、前記第１木質板材と前記金属部材とを接合する第１接合部材を有し、
前記空隙は、前記長辺方向に隣り合わせて配置される前記第１木質板材の互いに隣り合う側に偏らせて各々設けられており、
短辺方向に重なる前記木質板材同士は、前記長辺方向において前記空隙と隣接する木質の空隙隣接木部を各々有し、前記空隙隣接木部が第２接合部材により接合されていることを特徴とする木質部材。
【請求項２】
請求項１に記載の木質部材であって、
前記空隙は、互いに対向する各前記第１木質板材の少なくとも一方の前記第１木質板材の対向する面に設けられ前記短辺方向に窪む凹部により形成されていることを特徴とする木質部材。
【請求項３】
請求項１または請求項２に記載の木質部材であって、
前記第１木質板材は、単板積層材または集成材であることを特徴とする木質部材。
【請求項４】
請求項１乃至請求項３のいずれかに記載の木質部材であって、
各々の前記第１木質板材は、矩形状の前記断面が水平断面をなして鉛直方向に所定長さを有しており、
前記鉛直方向に複数の前記金属部材を有して耐震壁柱をなすことを特徴とする木質部材。
【請求項５】
請求項４に記載の木質部材であって、
前記第１木質板材の下端に、前記短辺方向に重なる前記第１木質板材間に設けられ下方が開放されている下端凹部内に配置されて下方に突出するガゼットプレート部、及び、
前記ガゼットプレート部の下端に設けられ躯体と接合されるベースプレート部、
を有する下端部材と、
前記ガゼットプレート部を貫通し、前記短辺方向に重なる前記第１木質板材間に渡り、前記第１木質板材と前記下端部材とを接合する第３接合部材と、を有することを特徴とする木質部材。
【請求項６】
請求項１乃至請求項５のいずれかに記載の木質部材であって、
前記短辺方向に重なる前記第１木質板材間に介在されて、隣り合う前記第１木質板材間に渡るとともに前記長辺方向に沿って外部に突出する連結部材を有し、
前記短辺方向において互いに対向して重なる状態で接合された複数の第２木質板材でなる横部材が、当該横部材の端部において互いに対向する前記第２木質板材間にスリットを有し、
前記連結部材の突出している突出部位が前記スリットに配置された状態で、前記突出部位と、前記横部材の互いに対向する前記第２木質板材と、を貫通する第４接合部材により接合されることを特徴とする木質部材。
【請求項７】
請求項１乃至請求項５のいずれかに記載の木質部材であって、
前記短辺方向に重なる前記第１木質板材間に設けられた空隙に、隣り合う前記第１木質板材間に渡って配置される連結部材を有し、
前記短辺方向に重なる前記第１木質板材は、互いに前記連結部材を挟む部位が、他の部位より前記短辺方向の厚みが薄い薄肉部と、前記薄肉部の、互いに対向する側と反対側に水平面を形成する水平段部と、を有し、
前記短辺方向において互いに対向して重なる状態で接合された複数の第２木質板材でなる横部材が、当該横部材の端部において互いに対向する前記第２木質板材間に設けられた端部溝に前記薄肉部及び前記連結部材が配置されるとともに、前記端部溝を形成する端部溝形成部が前記水平段部に載置された状態で、前記短辺方向に重なる前記連結部材、前記薄肉部及び前記端部溝形成部を貫通する第４接合部材により接合されることを特徴とする木質部材。
【請求項８】
請求項１乃至請求項５のいずれかに記載の木質部材であって、
前記短辺方向に重なる前記第１木質板材間に設けられた空隙に、隣り合う前記第１木質板材間に渡って配置される連結部材を有し、
前記短辺方向に重なる前記第１木質板材は、互いに前記連結部材と短辺方向において対向する部位が、他の部位より前記短辺方向の厚みが薄い薄肉部と、前記薄肉部の、互いに対向する側に水平面を形成する水平段部と、を有し、
前記短辺方向において互いに対向して重なる状態で接合された複数の第２木質板材でなる横部材が、当該横部材の端部において互いに対向する前記第２木質板材間に設けられたスリットに、前記連結部材において前記水平段部より上方に突出する突出部位が配置されるとともに、前記スリットを形成するスリット形成部が前記水平段部に載置された状態で、前記短辺方向に重なる前記突出部位、前記薄肉部及び前記スリット形成部を貫通する第４接合部材により接合されることを特徴とする木質部材。
【請求項９】
請求項６乃至請求項８のいずれかに記載の木質部材であって、
前記連結部材は、隣り合う前記第１木質板材間から前記短辺方向に沿って突出する直交部を有しており、
前記短辺方向において互いに対向して重なる状態で接合された複数の第３木質板材でなる交差部材は、当該交差部材の端部において互いに対向する前記第３木質板材間に交差部材スリットを備え、
前記直交部が、前記交差部材の前記交差部材スリットに配置された状態で、前記直交部と、前記交差部材スリットを形成する交差部材スリット形成部とを貫通する第５接合部材により接合されることを特徴とする木質部材。
【請求項１０】
請求項１乃至請求項５のいずれかに記載の木質部材であって、
前記短辺方向に重なる前記第１木質板材は、当該第１部材の端部に、他の部位より前記短辺方向の厚みが薄い薄肉部と、前記薄肉部の、互いに対向する側と反対側に水平面を形成する水平段部と、を有し、
前記短辺方向において互いに対向して重なる状態で接合された複数の第２木質板材でなる横部材が、当該横部材の端部において互いに対向する前記第２木質板材間に端部溝を有し、
前記端部溝を形成する端部溝形成部が前記水平段部に載置されて、前記薄肉部が前記端部溝に配置された状態で、前記短辺方向に重なる前記薄肉部及び前記端部溝形成部を貫通する第６接合部材により接合されることを特徴とする木質部材。
【請求項１１】
請求項１乃至請求項５のいずれかに記載の木質部材であって、
前記短辺方向に重なる前記第１木質板材は、他の部位より前記短辺方向の厚みが薄い薄肉部と、前記薄肉部の、互いに対向する側に水平面を形成する水平段部と、を有し、
前記短辺方向において互いに対向して重なる状態で接合された複数の第２木質板材でなる横部材が、当該横部材の端部において他の部位より前記短辺方向の厚みが薄く互いに対向して当接される横部材当接部を有し、
前記横部材当接部が、前記水平段部に載置されて前記薄肉部間に配置された状態で、前記短辺方向に重なる前記横部材当接部、前記薄肉部を貫通する第６接合部材により接合されることを特徴とする木質部材。
【請求項１２】
請求項１乃至請求項３のいずれかに記載の木質部材であって、
各々の前記第１木質板材は、矩形状の前記断面が縦断面をなして横方向に所定長さを有しており、
長手方向に複数の前記金属部材を有して梁をなすことを特徴とする木質部材。
【請求項１３】
請求項１乃至請求１２のいずれかに記載の木質部材の外周に燃え止まり層を備え、前記燃え止まり層の外周に燃えしろ層を備えたことを特徴とする耐火部材。
【発明の詳細な説明】
【技術分野】
【０００１】
本発明は、複数の木製材料を有する木質部材及び耐火部材に関する。
【背景技術】
【０００２】
複数の木製材料を有する木質部材としては、例えば、単板の表面と先端木口部に接着剤を塗布し、接着剤を塗布した単板を堆積して連続する積層体とし、この積層体を複数圧締して形成する単板積層材が知られている（例えば、特許文献１参照）。この単板積層材は、大スパンの梁や柱として用いられる。
【先行技術文献】
【特許文献】
【０００３】
【特許文献１】特開平５−１３８６０８号公報
【発明の概要】
【発明が解決しようとする課題】
【０００４】
上記単板積層材を、耐震性が高い耐震壁柱として用いる場合には、大断面が必要であるため、複数の単板積層材を一体化すべく互いに接着する二次接着をしなければならない。大スパンの単板積層材を二次接着する場合には、大型の装置を使用して工場等により製造しなければならず、コストが高騰し、製作期間が延びるという課題がある。
【０００５】
本発明はかかる課題に鑑みてなされたもので、その主な目的は、安価で耐震構造体として使用可能な木質部材及び耐火部材を提供することにある。
【課題を解決するための手段】
【０００６】
かかる目的を達成するために本発明の木質部材は、
長辺と短辺とからなる矩形状の断面を有する複数の第１木質板材が、前記短辺に沿う短辺方向にて互いに対向した状態で重なるとともに、前記長辺に沿う長辺方向に隣り合わせて配置され、
前記複数の第１木質板材間に設けられた空隙内に配置されるとともに、前記長辺方向に並ぶ前記第１木質板材間に渡って設けられている金属部材と、
前記金属部材を貫通し、前記短辺方向に重なる前記第１木質板材間に渡り、前記第１木質板材と前記金属部材とを接合する第１接合部材を有し、
前記空隙は、前記長辺方向に隣り合わせて配置される前記第１木質板材の互いに隣り合う側に偏らせて各々設けられており、
短辺方向に重なる前記木質板材同士は、前記長辺方向において前記空隙と隣接する木質の空隙隣接木部を各々有し、前記空隙隣接木部が第２接合部材により接合されていることを特徴とする木質部材である。
【０００７】
このような木質部材によれば、短辺方向にて互いに対向した状態で重なるとともに長辺方向に並べて配置されている複数の第１木質板材が、第１接合部材で接合されているので、第１木質板材より断面性能が高い木質部材を提供することが可能である。このとき、複数の第１木質板材が金属部材を貫通して短辺方向に木質板材間に渡る第１接合部材で接合されているので、特殊な装置を用いることなく容易にかつ安価に木質部材を製造することが可能である。このため、安価で耐震構造体として使用可能な木質部材を提供することが可能である。
【０００８】
また、短辺方向に重なる第１木質板材同士は、長辺方向において空隙と隣接する木質の空隙隣接木部を有しているので、外周部分が木質の部位で囲まれている。このため、外周部分を燃えしろ層とする準耐火材として使用することが可能である。また、金属部材が配置される空隙も外周部が木質の部位で囲まれているので、金属部材は外部に露出しない。このため、意匠性にも優れた木質部材を提供することが可能である。
【０００９】
かかる木質部材であって、
前記空隙は、互いに対向する各前記第１木質板材の少なくとも一方の前記第１木質板材の対向する面に設けられ前記短辺方向に窪む凹部により形成されていることが望ましい。
【００１０】
このような木質部材によれば、短辺方向に重なる第１木質板材間に設けられている空隙は、対向する各第１木質板材の少なくとも一方の対向する面に設けられ短辺方向に窪む凹部により形成されているので、第１木質板材の対向する面に凹部を形成する容易な方法により空隙を設けることが可能である。
【００１１】
かかる木質部材であって、前記第１木質板材は、単板積層材または集成材であることが望ましい。
【００１２】
このような木質部材によれば、木質板材が汎用性を備えた単板積層材または集成材なので、より安価で木質部材を提供することが可能である。
【００１３】
かかる木質部材であって、
各々の前記第１木質板材は、矩形状の前記断面が水平断面をなして鉛直方向に所定長さを有しており、
前記鉛直方向に複数の前記金属部材を有して耐震壁柱をなすことが望ましい。
【００１４】
このような木質部材によれば、鉛直方向の複数箇所が金属部材を介して接合された、より高強度の耐震壁柱を提供することが可能である。
【００１５】
かかる木質部材であって、
前記第１木質板材の下端に、前記短辺方向に重なる前記第１木質板材間に設けられ下方が開放されている下端凹部内に配置されて下方に突出するガゼットプレート部、及び、
前記ガゼットプレート部の下端に設けられ躯体と接合されるベースプレート部、
を有する下端部材と、
前記ガゼットプレート部を貫通し、前記短辺方向に重なる前記第１木質板材間に渡り、前記第１木質板材と前記下端部材とを接合する第３接合部材と、を有することが望ましい。
【００１６】
このような木質部材によれば、ベースプレート部とガゼットプレート部とを備えた下端部材が端部に設けられているので、木質部材を容易に躯体と接合して立設することが可能である。このため施工性に優れた耐震壁柱をなす木質部材を提供することが可能である。
【００１７】
かかる木質部材であって、
前記短辺方向に重なる前記第１木質板材間に介在されて、隣り合う前記第１木質板材間に渡るとともに前記長辺方向に沿って外部に突出する連結部材を有し、
前記短辺方向において互いに対向して重なる状態で接合された複数の第２木質板材でなる横部材が、当該横部材の端部において互いに対向する前記第２木質板材間にスリットを有し、
前記連結部材の突出している突出部位が前記スリットに配置された状態で、前記突出部位と、前記横部材の互いに対向する前記第２木質板材と、を貫通する第４接合部材により接合されることが望ましい。
【００１８】
このような木質部材によれば、互いに隣り合う第１木質板材間に渡るとともに長手方向に沿って外部に突出し、横部材の端部に設けられた第１溝に配置された連結部材の突出部位を貫通して、接合部材を構成し互いに対向する第２木質板材間に渡る第４接合部材により、横部材が接合されるので、横部材が強固に接合される木質部材を提供することが可能である。
【００１９】
かかる木質部材であって、
前記短辺方向に重なる前記第１木質板材間に設けられた空隙に、隣り合う前記第１木質板材間に渡って配置される連結部材を有し、
前記短辺方向に重なる前記第１木質板材は、互いに前記連結部材を挟む部位が、他の部位より前記短辺方向の厚みが薄い薄肉部と、前記薄肉部の、互いに対向する側と反対側に水平面を形成する水平段部と、を有し、
前記短辺方向において互いに対向して重なる状態で接合された複数の第２木質板材でなる横部材が、当該横部材の端部において互いに対向する前記第２木質板材間に設けられた端部溝に前記薄肉部及び前記連結部材が配置されるとともに、前記端部溝を形成する端部溝形成部が前記水平段部に載置された状態で、前記短辺方向に重なる前記連結部材、前記薄肉部及び前記端部溝形成部を貫通する第４接合部材により接合されることとしてもよい。
【００２０】
このような木質部材によれば、短辺方向に重なる第１木質板材間に設けられた空隙に、隣り合う第１木質板材間に渡って連結部材が配置され、横部材に設けられた第１溝に、薄肉部及び連結部材が配置されるとともに、第１溝を形成する第１溝形成部が水平段部に載置された状態で、連結部材、薄肉部及び第１溝形成部を貫通する第４接合部材により横部材が接合されるので、横部材が強固に接合される木質部材を提供することが可能である。
【００２１】
かかる木質部材であって、
前記短辺方向に重なる前記第１木質板材間に設けられた空隙に、隣り合う前記第１木質板材間に渡って配置される連結部材を有し、
前記短辺方向に重なる前記第１木質板材は、互いに前記連結部材と短辺方向において対向する部位が、他の部位より前記短辺方向の厚みが薄い薄肉部と、前記薄肉部の、互いに対向する側に水平面を形成する水平段部と、を有し、
前記短辺方向において互いに対向して重なる状態で接合された複数の第２木質板材でなる横部材が、当該横部材の端部において互いに対向する前記第２木質板材間に設けられたスリットに、前記連結部材において前記水平段部より上方に突出する突出部位が配置されるとともに、前記スリットを形成するスリット形成部が前記水平段部に載置された状態で、前記短辺方向に重なる前記突出部位、前記薄肉部及び前記スリット形成部を貫通する第４接合部材により接合されることとしてもよい。
【００２２】
このような木質部材によれば、横部材に設けられた第１溝を形成する第１溝形成部が水平段部に載置されて、連結部材において水平段部より上方に突出する突出部位が第１溝に配置された状態で、短辺方向に重なる連結部材の突出部位、薄肉部及び第１溝形成部を貫通する第４接合部材により横部材が接合されるので、横部材が強固に接合される木質部材を提供することが可能である。また、横部材が有する第１溝形成部は、短辺方向に重なる第１木質板材が各々有する薄肉部の間に配置されている。このため、たとえ、火炎等に晒された場合であっても、まず外側に位置する薄肉部から燃えるので、火災等であっても横部材が第１木質板材の水平段部から燃え落ちることを抑制することが可能である。
【００２３】
かかる木質部材であって、
前記連結部材は、隣り合う前記第１木質板材間から前記短辺方向に沿って突出する直交部を有しており、
前記短辺方向において互いに対向して重なる状態で接合された複数の第３木質板材でなる交差部材は、当該交差部材の端部において互いに対向する前記第３木質板材間に交差部材スリットを備え、
前記直交部が、前記交差部材の前記交差部材スリットに配置された状態で、前記直交部と、前記交差部材スリットを形成する交差部材スリット形成部とを貫通する第５接合部材により接合されることが望ましい。
【００２４】
このような木質部材によれば、互いに対向する第３木質板材間に設けられた第２溝に配置され、短辺方向に沿って突出する直交部を貫通する第５接合部材により、交差部材が接合されるので、横部材及び交差部材を直交する２方向にそれぞれ強固に接合して設けることが可能である。
【００２５】
かかる木質部材であって、
前記短辺方向に重なる前記第１木質板材は、当該第１部材の端部に、他の部位より前記短辺方向の厚みが薄い薄肉部と、前記薄肉部の、互いに対向する側と反対側に水平面を形成する水平段部と、を有し、
前記短辺方向において互いに対向して重なる状態で接合された複数の第２木質板材でなる横部材が、当該横部材の端部において互いに対向する前記第２木質板材間に端部溝を有し、
前記端部溝を形成する端部溝形成部が前記水平段部に載置されて、前記薄肉部が前記端部溝に配置された状態で、前記短辺方向に重なる前記薄肉部及び前記端部溝形成部を貫通する第６接合部材により接合されることとしてもよい。
【００２６】
このような木質部材によれば、短辺方向に重なる第１木質板材の薄肉部の、互いに対向する側と反対側設けられた水平段部に、横部材の端部溝形成部を載置して、薄肉部及び端部溝形成部を第６接合部材により接合することにより、容易に横部材と接合可能な木質部材を提供することが可能である。
【００２７】
かかる木質部材であって、
前記短辺方向に重なる前記第１木質板材は、他の部位より前記短辺方向の厚みが薄い薄肉部と、前記薄肉部の、互いに対向する側に水平面を形成する水平段部と、を有し、
前記短辺方向において互いに対向して重なる状態で接合された複数の第２木質板材でなる横部材が、当該横部材の端部において他の部位より前記短辺方向の厚みが薄く互いに対向して当接される横部材当接部を有し、
前記横部材当接部が、前記水平段部に載置されて前記薄肉部間に配置された状態で、前記短辺方向に重なる前記横部材当接部、前記薄肉部を貫通する第６接合部材により接合されることとしてもよい。
【００２８】
このような木質部材によれば、短辺方向に重なる第１木質板材の薄肉部の、互いに対向する側に設けられた水平段部に、横部材の横部材当接部を載置して、薄肉部及び横部材当接部を第６接合部材により接合することにより、容易に横部材と接合可能な木質部材を提供することが可能である。また、横部材が有する横部材当接部は、短辺方向に重なる第１木質板材が各々有する薄肉部の間に配置されている。このため、たとえ、火炎等に晒された場合であっても、まず外側に位置する薄肉部から燃えるので、火災等であっても、横部材が第１木質板材の水平段部から燃え落ちることを抑制することが可能である。
【００２９】
かかる木質部材であって、
各々の前記第１木質板材は、矩形状の前記断面が縦断面をなして横方向に所定長さを有しており、
長手方向に複数の前記金属部材を有して梁をなすことが望ましい。
【００３０】
このような木質部材によれば、横方向に配置される梁の長手方向における複数箇所が金属部材を介して接合されている、より高強度のはりを提供することが可能である。
【００３１】
また、上記木質部材の外周に燃え止まり層を備え、前記燃え止まり層の外周に燃えしろ層を備えているので、耐火性に優れて安価で耐震構造体として使用可能な耐火部材を提供することが可能である。
【発明の効果】
【００３２】
本発明によれば、安価で耐震構造体として使用可能な木質部材及び耐火部材を提供することが可能である。
【図面の簡単な説明】
【００３３】
【図１】本実施形態に係る木質部材を示す断面図である。
【図２】本実施形態に係る木質部材の構成を示す分解斜視図である。
【図３】本実施形態に係る木質部材が備える燃えしろ層の一例を示す断面図である。
【図４】梁接合金物を用いて梁が接合される耐震壁柱をなす木質部材の構成を示す分解斜視図である。
【図５】図５（ａ）は、梁接合金物を用いて梁が接合される耐震壁柱をなす木質部材の構成を示す正面図、図５（ｂ）は、梁接合金物を用いて梁が接合される耐震壁柱をなす木質部材の構成を示す平面図である。
【図６】直交梁接合金物を用いて梁が接合される耐震壁柱をなす木質部材の構成を示す分解斜視図である。
【図７】図７（ａ）は、直交梁接合金物を用いて梁が接合される耐震壁柱をなす木質部材の構成を示す正面図、図７（ｂ）は、直交梁接合金物を用いて梁が接合される耐震壁柱をなす木質部材の構成を示す平面図である。
【図８】内設梁接合金物を用い薄肉上方突出部が薄肉側方突出部の内側に配置されて梁が接合される耐震壁柱をなす木質部材の構成を示す分解斜視図である。
【図９】図９（ａ）は、内設梁接合金物を用い薄肉上方突出部が薄肉側方突出部の内側に配置されて梁が接合される耐震壁柱をなす木質部材の構成を示す正面図、図９（ｂ）は、内設梁接合金物を用い薄肉上方突出部が薄肉側方突出部の内側に配置されて梁が接合される耐震壁柱をなす木質部材の構成を示す平面図である。
【図１０】内設梁接合金物を用い薄肉上方突出部が薄肉側方突出部の外側に配置されて梁が接合される耐震壁柱をなす木質部材の構成を示す分解斜視図である。
【図１１】図１１（ａ）は、内設梁接合金物を用い薄肉上方突出部が薄肉側方突出部の外側に配置されて梁が接合される耐震壁柱をなす木質部材の構成を示す正面図、図１１（ｂ）は、内設梁接合金物を用い薄肉上方突出部が薄肉側方突出部の外側に配置されて梁が接合される耐震壁柱をなす木質部材の構成を示す平面図である。
【図１２】内設梁接合金物を用い薄肉上方突出部が薄肉側方突出部の外側に配置されて梁が接合される耐震壁柱をなす木質部材を示す斜視図である。
【図１３】内設直交梁接合金物を用い薄肉上方突出部が薄肉側方突出部の内側に配置されて梁が接合される耐震壁柱をなす木質部材の構成を示す分解斜視図である。
【図１４】図１４（ａ）は、内設直交梁接合金物を用い薄肉上方突出部が薄肉側方突出部の内側に配置されて梁が接合される耐震壁柱をなす木質部材の構成を示す正面図、図１４（ｂ）は、内設直交梁接合金物を用い薄肉上方突出部が薄肉側方突出部の内側に配置されて梁が接合される耐震壁柱をなす木質部材の構成を示す平面図である。
【図１５】内設直交梁接合金物を用い薄肉上方突出部が薄肉側方突出部の外側に配置されて梁が接合される耐震壁柱をなす木質部材の構成を示す分解斜視図である。
【図１６】図１６（ａ）は、内設直交梁接合金物を用い薄肉上方突出部が薄肉側方突出部の外側に配置されて梁が接合される耐震壁柱をなす木質部材の構成を示す正面図、図１６（ｂ）は、内設直交梁接合金物を用い薄肉上方突出部が薄肉側方突出部の外側に配置されて梁が接合される耐震壁柱をなす木質部材の構成を示す平面図である。
【図１７】薄肉上方突出部が薄肉側方突出部の内側に配置されて梁が接合される耐震壁柱をなす木質部材を示す斜視図である。
【図１８】薄肉上方突出部が薄肉側方突出部の外側に配置されて梁が接合される耐震壁柱をなす木質部材を示す斜視図である。
【図１９】梁をなす木質部材を示す正面図である。
【図２０】耐火部材をなす木質部材を示す断面図である。
【発明を実施するための形態】
【００３４】
以下、本発明にかかる木質部材の一実施形態について図面を参照しつつ詳細に説明する。
【００３５】
本実施形態の木質部材は、長辺と短辺とからなる矩形状の断面を有する複数の第１木質板材としての単板積層材（ＬＶＬ）を接合して一体に形成されている。本実施形態の木質部材は、単板積層材として汎用性が高く、矩形断面の長辺の長さが４５０ｍｍの長尺の単板積層材が４本接合されて形成されている。
【００３６】
図１は、本実施形態に係る木質部材を示す断面図である。図１に示すように、木質部材１は、長辺と短辺とからなる矩形状の同一断面をなす４本の単板積層材２が、断面における短辺に沿う短辺方向にて互いに対向した状態で重なるとともに、長辺に沿う長辺方向に並べて配置されている。また、図２に示すように、各単板積層材２の長手方向において互いに適宜間隔を隔てて、短辺方向に重なる単板積層材２間に設けられ、長辺方向に並ぶ単板積層材２間に渡って、鋼板でなる複数枚の金属部材３が設けられている。
【００３７】
４本の単板積層材２には、それぞれ短辺方向において対向している面に、各々の単板積層材２の厚み方向に窪む凹部（以下、対向側凹部という）２ａが設けられている。各々の単板積層材２に設けられた対向側凹部２ａは、長辺方向において互いに隣接する単板積層材２側に偏らせて各々設けられている。このため、４本の単板積層材２を、短辺方向に対向する２本の単板積層材２を、長辺方向に並べて配置すると、４つの対向側凹部２ａにより、１つの矩形状の空隙Ｓが形成される。空隙Ｓ内には、前述した金属部材３が設けられる。このため、４本の単板積層材２には各々、長手方向における同一の位置に対向側凹部２ａが配置される。
【００３８】
４本の単板積層材２により形成される各空隙Ｓは、当該空隙Ｓに配置される金属部材３とほぼ同じ大きさを有しており、各単板積層材２における対向側凹部２ａの深さは、金属部材３の厚みの半分に相当し、当該空隙Ｓに配置された金属部材３の表面が、対向側凹部２ａの対向する面に当接されるように形成されている。尚、図１においては、説明の便宜上、空隙Ｓと金属部材３との間を空けて示しているが、両者の間には隙間はない。
【００３９】
４本の単板積層材２は、内部に設けられた空隙Ｓ内に配置された金属部材３と、短辺方向に重なる２本の単板積層材２とを貫通する第１接合部材としてのドリフトピン４により接合されている。金属部材３を挟んで接合された２本の単板積層材２同士は、両者に渡して設けられた金属部材３により接合されている。
【００４０】
また、各単板積層材２において対向側凹部２ａが形成されていない部位は、短辺方向において対向する単板積層材２の木部同士が、互いに当接しており、一方の単板積層材２側から他方の単板積層材２にわたり、第２接合部材としてのビス５が螺合されて接合されている。
【００４１】
また、各単板積層材２は、長辺方向において空隙Ｓと隣接する木質の空隙隣接木部２ｂを有しており、短辺方向に重なる２本の単板積層材２は、短辺方向に対面する空隙隣接木部２ｂ同士がビス５により接合されている。
【００４２】
また、木質部材１が備える空隙Ｓは、全周が木質の部位に囲まれているので、火災時等には、図３に示すように、木質部材１の外周側の部位が、燃焼して炭化することにより断熱層を形成する燃えしろ層１ａをなす。このため、準耐火材として使用可能である。この場合には、木質の部位同士を接合するビス５を頭部が燃えしろ層１ａより内側に位置するように螺合し、ビス５の外周側は木栓１ｂにより塞がれる。
【００４３】
本実施形態の木質部材１によれば、短辺方向にて互いに対向した状態で重なるとともに長辺方向に並べて配置されている複数の単板積層材２が、ドリフトピン４及びビス５により接合されているので、単板積層材２単体の場合より断面性能が高い木質部材１を提供することが可能である。このとき、複数の単板積層材２が、金属部材３、及び、短辺方向に重なる単板積層材２を貫通するドリフトピン４により接合されているので、長尺の部材同士を接着するような大型で特殊な装置を用いることなく容易にかつ安価に木質部材１を製造することが可能である。このため、安価で耐震壁柱として使用可能な木質部材１を提供することが可能である。
【００４４】
また、短辺方向に重なる単板積層材２同士は、長辺方向において空隙Ｓと隣接する木質の空隙隣接木部２ｂを有しているので、木質部材１の外周部分が木質の部位により囲まれている。このため、外周部分に燃えしろ層１ａを有する準耐火材として使用することが可能である。また、金属部材３は、短辺方向に重なる単板積層材２間に設けられた空隙Ｓ内に配置されているので、金属部材３は外部に露出しない。このため、意匠性にも優れた木質部材１を提供することが可能である。
【００４５】
また、短辺方向に重なる単板積層材２間に設けられた空隙Ｓは、対向する各単板積層材２の対向する面に設けられ短辺方向に窪む対向側凹部２ａにより形成されているので、単板積層材２の対向する面に対向側凹部２ａを形成する容易な方法により空隙Ｓを設けることが可能である。本実施形態においては、対向側凹部２ａが、対向する各単板積層材２の互いに対向する面にそれぞれ設けられている例について説明したが、対向する各単板積層材２の互いに対向する面のいずれか一方に設けられていても構わない。
【００４６】
また、空隙Ｓは、長辺方向に並べて配置される単板積層材２の互いに隣接する側に偏らせて各々設けられており、金属部材３が設けられていない位置は木質の部分同士が対向している。このため、木質の部分同士はビス５により容易に接合できるので、容易に、より強固に接合された木質部材１を提供することが可能である。
【００４７】
また、単板積層材２は、所定の規格により形成される汎用材が存在するので、より安価な木質部材１を提供することが可能である。
【００４８】
次に、４本の単板積層材２が一体に接合された木質部材１が、たとえば、単板積層材２の長手方向が上下方向に向くように配置され耐震壁柱として使用される場合について説明する。以下の説明においては、耐震壁柱をなす木質部材１が耐震壁柱として設置された状態において、上下となる方向を上下方向、耐震壁柱をなす各単板積層材２の長辺方向を幅方向又は左右方向、各単板積層材の短辺方向を奥行き方向として説明する。また、上記実施形態と同一構成については図中で同符号を付して示し、その説明については省略する。
【００４９】
木質部材１を耐震壁柱として使用する場合には、例えば、図４、図５に示すように、木質部材１の下端部に基礎等の躯体に立設するための下端部材としての柱脚金物６と、上端部に横部材としての梁７と接合するための連結部材としての梁接合金物８と、が設けられている。
【００５０】
柱脚金物６は、奥行き方向にて対向する２本の単板積層材２毎に１つずつ設けられている。各柱脚金物６は、奥行き方向にて対向する２本の単板積層材２間に、鉛直に配置され鋼板でなるガゼットプレート部６ａと、躯体等の水平面に載置され鋼板でなるベースプレート部６ｂとが、溶接され、断面がＴ字状をなすように構成されている。
【００５１】
ガゼットプレート部６ａには、前述した金属部材３と同様に、第３接合部材としてのドリフトピン４が貫通する孔６ｃが設けられている。また、ベースプレート部６ｂには、躯体に設けられている、例えば、アンカーボルト９が挿通される挿通孔６ｄが設けられている。
【００５２】
木質部材１の下端面には、奥行き方向にて対向する２本の単板積層材２毎に、柱脚金物６のガゼットプレート部６ａが挿入されるガゼットプレート挿入部が設けられている。ガゼットプレート挿入部は、前述した対向側凹部２ａと同様に、奥行き方向にて対向する２本の単板積層材２の各々に設けられ、単板積層材２の厚み方向に窪む下端凹部２ｃが、２本の単板積層材２が対向することにより形成される袋状の空隙であり、下方が開放されている。
【００５３】
柱脚金物６は、ガゼットプレート部６ａが、対向する２本の単板積層材２の下端凹部２ｃに配置され、柱脚金物６のガゼットプレート部６ａと、奥行き方向に重なる２本の単板積層材２とを第３接合部材としてのドリフトピン４が貫通することにより固定されている。固定された柱脚金物６のベースプレート部６ｂと木質部材１の下面とは、上下方向に間隔が隔てられており、柱脚金物６のベースプレート部６ｂと木質部材１の下面との間にて、ベースプレート部６ｂの挿通孔６ｄに挿通されたアンカーボルト９にナット９ａを螺合して締結可能に構成されている。
【００５４】
梁接合金物８は、２本の第２木質板材としての単板積層材２が奥行き方向に対向させてビス５により接合され、耐震壁柱の幅方向に沿って配置される横部材としての梁７を、耐震壁柱をなす木質部材１の上部にて接合するための部材である。梁接合金物８は、耐震壁柱をなす木質部材１の幅より長く、梁７に設けられている梁端凹部７ｂの上下方向の幅と同じ幅を有する平坦な鋼板で構成されている。
【００５５】
梁接合金物８は、４本の単板積層材２が接合された耐震壁柱の状態で、奥行き方向に対向する２本の単板積層材２間に配置され、木質部材１の幅方向に沿って突出するように設けられている。
【００５６】
木質部材１の上端部には、４本の単板積層材２の、奥行き方向にて対向する境界となる部位に、梁接合金物８が挿入される梁接合金物挿入部２ｄが設けられている。梁接合金物挿入部２ｄは、前述した対向側凹部２ａと同様に、奥行き方向にて対向する２本の単板積層材２の各々に設けられ、単板積層材２の厚み方向に窪む上端凹部２ｅが、２本の単板積層材２が対向することにより形成され、幅方向に連通する溝状の空隙である。
【００５７】
梁接合金物８は、対向する２本の単板積層材２の上端凹部２ｅに配置され、梁接合金物８を貫通する第４接合部材としてのドリフトピン４が、奥行き方向に重なる２本の単板積層材２間に渡るように打ち込まれて耐震壁柱をなす木質部材１に固定されている。固定された梁接合金物８の、長手方向における両端部が木質部材１の幅方向における両側に突出している。
【００５８】
２本の単板積層材２が接合されてなる梁７の、長手方向における端部には、梁接合金物８の、木質部材１の上端部から側方に突出している突出部位８ａが配置されるスリット７ａが設けられている。スリット７ａは、前述した対向側凹部２ａと同様に、奥行き方向にて対向する２本の単板積層材２の各々に設けられ、単板積層材２の厚み方向に窪む梁端凹部７ｂが、梁７を構成する２本の単板積層材２が対向することにより形成され、上下方向に連通する溝状の空隙である。図５（ｂ）においては、説明の便宜上梁接合金物挿入部２ｄ及びスリット７ａと梁接合金物８との間を空けて示しているが、両者の間には隙間はない。
【００５９】
梁接合金物８は、木質部材１から突出している突出部位８ａが、梁７を構成する２本の単板積層材２のスリット７ａに配置され、梁７の端面が木質部材１の側面に当接する状態で、梁接合金物８の突出部位８ａと、奥行き方向に重なる２本の単板積層材２とを貫通する第４接合部材としてのドリフトピン４により接合されている。
【００６０】
このような木質部材１によれば、鉛直方向の複数箇所が金属部材３を介して接合された、より高強度の耐震壁柱を提供することが可能である。
【００６１】
また、木質部材１の下端には、ガゼットプレート部６ａとベースプレート部６ｂとを備えた柱脚金物６が設けられているので、躯体等に容易に立設することが可能である。このため、施工性に優れた耐震壁柱として使用可能な木質部材１を提供することが可能である。
【００６２】
また、互いに隣り合う単板積層材２間に渡るとともに長手方向に沿って外部に突出し、梁７をなす単板積層材２に設けられたスリット７ａに配置された梁接合金物８の突出部位８ａと、互いに対向する単板積層材２とを貫通するドリフトピン４により接合されているので、梁７が強固に接合される木質部材１を提供することが可能である。
【００６３】
また、上記梁７と同様に、２本の第３木質板材としての単板積層材２が奥行き方向に対向させてビス５により接合された交差部材としての梁７を、図６、図７に示すように、耐震壁柱と直交する奥行き方向に沿わせて接合する場合には、上記梁接合金物８の長手方向における中央から直交する方向の表裏面側にそれぞれ突出する直交部１０を有する連結部材としての直交梁接合金物１１を用いる。この直交梁接合金物１１には、鋼板でなる直交部１０が梁接合金物８に溶接されて形成されている。ここで、木質部材１の上端部に、直交する方向に接合される４本の梁７の端部には、上記梁７と同様に上下方向に連通する交差部材スリット７ｆが設けられている。
【００６４】
直交梁接合金物１１において、梁接合金物８と直交する方向に溶接される直交部１０は、耐震壁柱をなす木質部材１を構成する４本の単板積層材２のうちの、幅方向に隣接する２本の単板積層材２の間から突出するように設けられている。また、幅方向に隣接する２本の単板積層材２には、上端部の、幅方向に対向する部位に、直交部１０の厚みの半分に相当する部位が切除された側面凹部２ｆが設けられている。
【００６５】
直交梁接合金物１１は、木質部材１の上端部に梁接合金物８が木質部材１の幅方向に沿い、直交部１０が奥行き方向に沿う状態で、梁接合金物８と、奥行き方向に重なる２本の単板積層材２とを第４接合部材としてのドリフトピン４が貫通して接合している。接合された直交梁接合金物１１は、梁接合金物８の両端部及び直交部１０の両端部が木質部材１から四方に突出している。
【００６６】
直交梁接合金物１１の突出している突出部位８ａ、１０ａを梁７の端部に形成された、上下方向に連通する交差部材スリット７ｆ内に配置し、梁７の端面が木質部材１の周面に当接する状態で、梁接合金物８の突出部位８ａと横部材としての梁７をなす２本の単板積層材２とを第４接合部材としてのドリフトピン４が貫通して接合され、直交部１０の突出部位１０ａと交差部材としての梁７をなす２本の単板積層材２とを第５接合部材としてのドリフトピン４が貫通して接合されている。
【００６７】
このような木質部材１によれば、梁７をなし互いに対向する単板積層材２間に設けられた交差部材スリット７ｆ内に配置され、梁接合金物８の面外方向に直交して奥行き方向に突出する直交部１０の突出している突出部位１０ａを貫通するドリフトピン４により梁７が接合されるので、梁７をなす単板積層材２を、直交する２方向に強固に接合して設けることが可能である。
【００６８】
上記実施形態においては、耐震壁柱をなす木質部材１の上部に耐震壁柱の幅方向に沿って配置される梁７を接合する際に、木質部材１の幅方向に突出させた梁接合金物８の突出部位８ａに梁７を接合した例について説明したが、これに限るものではない。例えば、図８、図９に示すように、木質部材１の上部に木質部材１から外周側に突出しない連結部材としての内設梁接合金物１２を用いて、耐震壁柱をなす木質部材１と幅方向に沿って配置される横部材としての梁７とを接合しても良い。
【００６９】
内設梁接合金物１２は、平板状の鋼板であり、幅方向に並べられた単板積層材２の幅、すなわち単板積層材２における断面の長辺の２倍の長さより僅かに短い幅を有し、縦方向の長さは梁７の上下方向の幅、すなわち単板積層材２における断面の長辺の長さの略２倍の長さを有する、略正方形状をなす鋼板である。
【００７０】
内設梁接合金物１２は、４本の単板積層材２が接合された木質部材１が耐震壁柱をなす状態で、奥行き方向に対向する２本の単板積層材２間に、幅方向に並ぶ単板積層材２間にわたって配置されている。内設梁接合金物１２は、上端が耐震壁柱をなす木質部材１の上端と揃うように配置され、内設梁接合金物１２における幅方向の中央の部位が、幅方向に並ぶ単板積層材２の境に位置するように配置されている。このため、幅方向における内設梁接合金物１２の両側には、奥行き方向に対向する２本の単板積層材２が有する木質の部位が対向し当接している。
【００７１】
木質部材１の上端部には、４本の単板積層材２が接合されて、単板積層材２同士が奥行き方向に対向する位置に、各々対向する方向と反対側に窪み、内設梁接合金物１２が配置される空隙が設けられている。この空隙は、４本の単板積層材２の対向する面の、幅方向における中央側にそれぞれ設けられた中央凹部２ｇにより形成されている。各単板積層材２に設けられている中央凹部２ｇの奥行き方向の深さは、内設梁接合金物１２の厚みの半分に相当している。各単板積層材２の長辺方向には、中央凹部２ｇと隣接して木質の部位が残されている。このため、空隙は、上方に開放されて下方に窪む凹部をなしている。
【００７２】
また、木質部材１をなす４本の単板積層材２の上端部は、形成されている中央凹部２ｇを除く奥行き方向の厚みの半分の厚みに形成されている。より具体的には、４本の単板積層材２の上端から梁７の上下方向の幅とほぼ同じ長さ分、奥行き方向において対向する側と反対側の部位が切除されており、各単板積層材２の上端部には厚みが薄く加工された薄肉部としての薄肉上方突出部２ｈが設けられている。このため、木質部材１をなす４本の各単板積層材２は、奥行き方向にて対向する側と反対側に、上端から、単板積層材２の断面における長辺の長さ分下がった位置に水平面をなす水平段部２ｉが設けられている。
【００７３】
耐震壁柱をなす木質部材１に接合される梁７には、接合される端部から単板積層材２の断面における長辺の長さ分梁７の長手方向に窪み、上下方向に連通する端部溝７ｃが設けられている。
【００７４】
端部溝７ｃは、梁７をなし奥行き方向に対向する２本の単板積層材２の端部において対向する側に各々設けられ、単板積層材２が厚み方向に切除されて形成されている。すなわち、各単板積層材２は、端部が、厚み方向において対向する側を切除され、対向する側と反対側の部位が残されており、奥行き方向の厚みが薄くなる薄肉側方突出部７ｄを有している。薄肉側方突出部７ｄが端部溝形成部に相当する。
【００７５】
薄肉側方突出部７ｄの厚みは、木質部材１に設けられた水平段部２ｉの奥行き方向の幅と一致している。端部溝７ｃの底となる鉛直段部７ｅは、奥行き方向に、薄肉上方突出部２ｈの奥行き方向の厚みと中央凹部２ｇの厚み方向の深さを合わせた幅を有している。
【００７６】
４本の単板積層材２が接合されて形成された耐震壁柱をなす木質部材１は、奥行き方向に単板積層材２が対向する側の空隙に内設梁接合金物１２が配置され、対向する側と反対側に幅方向に並ぶ単板積層材２に繋がるように水平段部２ｉが設けられている。このとき、水平段部２ｉより下側に位置する内設梁接合金物１２は、木質部材１を形成し奥行き方向に重なる２本の単板積層材２とともに貫通するドリフトピン４により、木質部材１に内設梁接合金物１２が固定されている。
【００７７】
梁７は、耐震壁柱をなす木質部材１の、幅方向における両側に設けられる。梁７が有する端部溝７ｃ内に、薄肉上方突出部２ｈが位置するように梁７の薄肉側方突出部７ｄが、水平段部２ｉ上に載置される。この状態で、木質部材１の両側に接合される梁７の先端同士が、木質部材１における幅方向の中央にて互いに当接され、梁７の鉛直段部７ｅが木質部材１の側面に当接されている。
【００７８】
そして、水平段部２ｉより上側に位置する内設梁接合金物１２は、木質部材１の薄肉上方突出部２ｈ及び梁７の薄肉側方突出部７ｄとともに貫通する第４接合部材としてのドリフトピン４により、木質部材１及び梁７が強固に接合される。
【００７９】
このような木質部材１によれば、短辺方向に重なる単板積層材２間に設けられた中央凹部２ｇに、隣り合う単板積層材２間に渡って内設梁接合金物１２が配置され、梁７をなし互いに対向する単板積層材２間に設けられた端部溝７ｃに、薄肉上方突出部２ｈ及び内設梁接合金物１２が配置されるとともに、端部溝７ｃを形成する薄肉側方突出部７ｄが水平段部２ｉに載置された状態で、内設梁接合金物１２、薄肉上方突出部２ｈ及び薄肉側方突出部７ｄを貫通するドリフトピン４により梁７が接合されるので、梁７が強固に接合される木質部材１を提供することが可能である。
【００８０】
本実施形態においては、内設梁接合金物１２を、耐震壁柱をなす木質部材１を構成する単板積層材２の薄肉上方出部２ｈにより挟み、その外側に梁７を構成する単板積層材２の薄肉側方突出部７ｄにより挟む例について説明したが、これに限るものではない。例えば、図１０〜図１２に示すように、梁７の薄肉側方突出部７ｄが、奥行き方向に対向する木質部材１の薄肉上方突出部２ｈの内側に配置されていても構わない。この場合には、梁７に形成されるスリット７ａ内に内設梁接合金物１２が配置され、鉛直段部７ｅは薄肉側方突出部７ｄの外側に設けられ、耐震壁柱をなす木質部材１の上端には、図１２に示すように、薄肉上方突出部２ｈが奥行き方向に間隔を隔てて設けられ、それらの間に水平段部２ｉが形成され水平段部２ｉの中央に内設梁接合金物１２の上端側の部位１２ａが突出する。本実施形態の場合には、薄肉側方突出部７ｄがスリット形成部に相当する。
【００８１】
この場合には、梁７を構成する単板積層材２に設けられたスリット７ａを形成する薄肉側方突出部７ｄが水平段部２ｉに載置されて、内設梁接合金物１２の水平段部２ｉから上方に突出する部位がスリット７ａに配置された状態で、短辺方向に重なる内設梁接合金物１２、薄肉上方出部２ｈ及び薄肉側方突出部７ｄを貫通する第４接合部材としてのドリフトピン４により梁７が接合されるので、梁７が強固に接合される木質部材を提供することが可能である。また、互いに対向し重なる状態で単板積層材２が接合された梁７が有する薄肉側方突出部７ｄは、木質部材１の薄肉上方出部２ｈの間に配置されるので、たとえ、火炎等に晒された場合であっても、まず外側に位置する上方突出部から燃えるため、火災等であっても、木質部材１と梁７とが接合されている状態をより長く維持することが可能である。
【００８２】
上記実施形態においては、内設梁接合金物１２を用いて、耐震壁柱をなす木質部材１の、幅方向における両側に梁７を接合する例について説明したが、図１３、図１４に示すように、内設梁接合金物１２の幅方向における中央から直交する方向の表裏面側にそれぞれ突出する、前述した直交部１０を溶接した内設直交梁接合金物１３を用いて接合することにより、幅方向に沿う横部材としての梁７のみならず、幅方向と直交する方向に沿う交差部材としての梁７を接合することが可能である。
【００８３】
内設直交梁接合金物１３は、内設梁接合金物１２と直交する方向に直交部１０が、水平段部２ｉより上側に位置するように溶接されており、耐震壁柱をなす木質部材１を構成し、幅方向に隣接する２本の単板積層材２の間から、直交部１０が突出するように構成されている。
【００８４】
また、直交梁接合金物１１の場合と同様に、幅方向に隣接する２本の単板積層材２には、上端部の、幅方向に対向する部位に、直交部１０の厚みの半分に相当する部位が切除された側面凹部２ｆが設けられている。
【００８５】
内設直交梁接合金物１３は、木質部材１の上端部に内設梁接合金物１２が木質部材１の幅方向に沿い、直交部１０が奥行き方向に沿う状態で、内設梁接合金物１２における水平段部２ｉより下側の部位を２本の単板積層材２とともに貫通するドリフトピン４により固定されている。固定された内設直交梁接合金物１３は、直交部１０の両端部が木質部材１から奥行き方向に沿って突出する。
【００８６】
木質部材１の幅方向に沿う梁７は、上述したように、内設梁接合金物１２と、木質部材１の薄肉上方突出部２ｈ及び梁７の薄肉側方突出部７ｄとを貫通する第４接合部材としてのドリフトピン４により接合される。
【００８７】
奥行き方向に沿う梁７は、内設直交梁接合金物１３の突出している直交部１０の突出部位１０ａを梁７の端部に形成された、上下方向に連通する交差部材スリット７ｆ内に配置し、梁７の端面が木質部材１の周面に当接する状態で、突出部位１０ａと梁７をなす２本の単板積層材２の薄肉側方突出部７ｄとを貫通する第５接合部材としてのドリフトピン４により接合されている。本実施形態の場合には、薄肉側方突出部７ｄが交差部材スリット形成部に相当する。
【００８８】
内設直交梁接合金物１３は、直交する４本の梁７を接合する場合にも、図１５、図１６に示すように、梁７の薄肉側方突出部７ｄが、奥行き方向に対向する木質部材１の薄肉上方突出部２ｈの内側に配置されていても構わない。
【００８９】
上記実施形態においては、梁７と接合する際に、梁接合金物８や内設梁接合金物１２を用いて接合する例について説明したが、これに限らず、図１７に示すように、木質部材１が、上端部に薄肉上方突出部２ｈと、奥行き方向にて対向する側と反対側に水平段部２ｉとを備えており、梁７が、端部に長手方向に窪む形に形成された端部溝７ｃを備えており、木質部材１の水平段部２ｉに、端部溝７ｃを形成する端部溝形成部としての薄肉側方突出部７ｄを載置し、奥行き方向に重なる薄肉上方突出部２ｈと薄肉側方突出部７ｅとを第６接合部材としてのドリフトピン４またはボルトにて接合してもよい。また、図１８に示すように、上端部に薄肉上方突出部２ｈが奥行き方向に間隔を隔てて設けられ、それらの間に設けられている木質部材１の水平段部２ｉに、梁７の薄肉側方突出部７ｄを載置し、奥行き方向に重なる薄肉上方突出部２ｈと薄肉側方突出部７ｄとを第６接合部材としてのドリフトピン４またはボルトにて接合してもよい。
【００９０】
上記実施形態においては、４本の単板積層材２の内部に配置した金属部材３と、短辺方向に重なる２本の単板積層材２とを貫通するドリフトピン４により接合された木質部材１を耐震壁柱として使用する例について説明したが、これに限らず、例えば、図１９に示すように、梁７０として使用しても構わない。
【００９１】
この場合には、単板積層材２単体の場合より断面性能が高い梁７０を提供することが可能である。
【００９２】
上記実施形態においては、木質部材１の外周側に、燃焼して炭化することにより断熱層を形成する燃えしろ層１ａをなす準耐火性としての木質部材１を例に挙げて説明したが、図２０に示すように、木質部材１の外周に、燃焼及び炭化の進行を阻止するような耐火材からなる燃え止まり層１４ａと、燃え止まり層１４ａの外周に燃えしろ層１４ｂと、を備える構成とすると、耐火性に優れて安価で耐震構造体として使用可能な耐火部材１４を提供することが可能である。
【００９３】
上記実施形態においては、木質板材としての単板積層材（ＬＶＬ）を用いる例について説明したが、これに限らず、集成材を用いても構わない。
【００９４】
上記実施形態においては、ドリフトピン４が金属部材３、梁接合金物８、直交梁接合金物１１、内設梁接合金物１２、内設直交梁接合金物１３等の鋼材と単板積層材２とを貫通して接合する例について説明したが、ドリフトピンに限らずボルト等により接合しても構わない。
【００９５】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００９６】
１  木質部材
１ａ  燃えしろ層
２  単板積層材（第1〜３木質板材）
２ａ  対向側凹部
２ｂ  空隙隣接木部
２ｃ  下端凹部
２ｄ  梁接合金物挿入部
２ｅ  上端凹部
２ｆ  側面凹部
２ｇ  中央凹部
２ｈ  薄肉上方突出部（薄肉部）
２ｉ  水平段部
３  金属部材
３ａ  孔
４  ドリフトピン（第１接合部材、第３〜５接合部材）
５  ビス（第２接合部材、第６接合部材）
６  柱脚金物（下端部材）
６ａ  ガゼットプレート部
６ｂ  ベースプレート部
６ｃ  孔
６ｄ  挿通孔
７  梁（横部材、交差部材）
７ａ  スリット
７ｂ  梁端凹部
７ｃ  端部溝
７ｄ  薄肉側方突出部（スリット形成部、交差部材スリット形成部、端部溝形成部）
７ｅ  鉛直段部
７ｆ  交差部材スリット
８  梁接合金物（連結部材）
８ａ  突出部位
９  アンカーボルト
１０  直交部
１０ａ  突出部位
１１  直交梁接合金物
１２  内設梁接合金物（連結部材）
１２ａ  突出部位
１３  内設直交梁接合金物
１４  耐火部材
１４ａ  燃え止まり層
１４ｂ  燃えしろ層
７０  梁
Ｓ  空隙
【図１】
2018108704.tif 000003
【図２】
2018108704.tif 000004
【図３】
2018108704.tif 000005
【図４】
2018108704.tif 000006
【図５】
2018108704.tif 000007
【図６】
2018108704.tif 000008
【図７】
2018108704.tif 000009
【図８】
2018108704.tif 000010
【図９】
2018108704.tif 000011
【図１０】
2018108704.tif 000012
【図１１】
2018108704.tif 000013
【図１２】
2018108704.tif 000014
【図１３】
2018108704.tif 000015
【図１４】
2018108704.tif 000016
【図１５】
2018108704.tif 000017
【図１６】
2018108704.tif 000018
【図１７】
2018108704.tif 000019
【図１８】
2018108704.tif 000020
【図１９】
2018108704.tif 000021
【図２０】
2018108704.tif 000022